(57)【要約】    【課題】双翅目昆虫の効率的な人工繁殖を図ることができる昆虫繁殖用装置を提供すること。    【解決手段】繁殖室１と羽化室２と卵取室３とを備えており、羽化室２と繁殖室１とは、羽化した成虫の繁殖室１への一方通行のみを可能とする通路２１によって連通されており、羽化室２は、暗室であり、繁殖室１は、繁殖室１を構成する壁の内面の所定面積領域のみを撮影する撮影装置を、備えており、撮影装置は、撮影画像を処理する処理装置に連結されており、処理装置は、所定面積領域に留まっている成虫数を求めるカウント手段と、求められた成虫数に基づいて前記繁殖室を構成する壁の全内面に留まっている成虫数を算出し、それを前記繁殖室内の成虫数と判定する、判定手段と、を有している。【選択図】図１８
2019162085.tif 000002
【特許請求の範囲】
【請求項１】
双翅目昆虫を人工繁殖させるための昆虫繁殖用装置において、
繁殖室と、羽化室と、卵取室と、を備えており、
前記羽化室と前記繁殖室とは、羽化した成虫の前記繁殖室への一方通行のみを可能とする一方通行路によって、連通されており、
前記羽化室は、暗室であり、
前記繁殖室は、前記繁殖室を構成する壁の内面の所定面積領域のみを撮影する撮影装置を、備えており、
前記撮影装置は、撮影画像を処理する処理装置に連結されており、
前記処理装置は、前記所定面積領域に留まっている成虫数を求めるカウント手段と、求められた成虫数に基づいて前記繁殖室を構成する壁の全内面に留まっている成虫数を算出し、それを前記繁殖室内の成虫数と判定する、判定手段と、を有している、
ことを特徴とする昆虫繁殖用装置。
【請求項２】
前記一方通行路は、先端に行くに連れて狭くなっており、２頭以上の成虫の同時通過を不可とする大きさの出口開口を、有している、
請求項１記載の昆虫繁殖用装置。
【請求項３】
前記卵取室は、前記繁殖室に対して出し入れ可能な棚部を収容しており、
前記棚部は、前記繁殖室に出た状態の時に産卵床を前記繁殖室内に位置させるようになっており、
前記棚部は、前記繁殖室に出た状態及び前記卵取室に入った状態のいずれにおいても、前記繁殖室と前記卵取室とを隔絶するように設けられている、
請求項１又は２に記載の昆虫繁殖用装置。
【請求項４】
前記繁殖室は、成虫の死骸を回収する回収部を、下部に有している、
請求項１〜３の何れか一つに記載の昆虫繁殖用装置。
【発明の詳細な説明】
【技術分野】
【０００１】
本発明は、双翅目昆虫を人工繁殖させるための昆虫繁殖用装置に関する。双翅目昆虫とは、例えば、アメリカミズアブ、コウカアブ、イエバエ等である。
【背景技術】
【０００２】
従来、アメリカミズアブは、繁殖ケージ内に多数の成虫を放った状態で、繁殖させていた。
【先行技術文献】
【特許文献】
【０００３】
【特許文献１】特許第５８１２３２１号公報
【特許文献２】特許第４２５６４４１号公報
【特許文献３】特許第５６５３９１５号公報
【特許文献４】特開２００１−０１７０２９号公報
【発明の概要】
【発明が解決しようとする課題】
【０００４】
しかしながら、従来の繁殖ケージでは、次のような不具合があった。
（１）繁殖ケージ内の成虫の数を把握することができず、それ故、効率的な人工繁殖の環境を整えることができない。
（２）羽化した成虫を繁殖ケージ内に放つ作業が必要であり、その際に、成虫の脱走が発生する。
（３）繁殖ケージ内から卵を回収する作業が必要であり、その際に、成虫の脱走が発生する。
【０００５】
本発明は、上述のような不具合を解消できる昆虫繁殖用装置を提供することを目的としている。
【課題を解決するための手段】
【０００６】
本発明は、双翅目昆虫を人工繁殖させるための昆虫繁殖用装置において、
繁殖室と、羽化室と、卵取室と、を備えており、
前記羽化室と前記繁殖室とは、羽化した成虫の前記繁殖室への一方通行のみを可能とする一方通行路によって、連通されており、
前記羽化室は、暗室であり、
前記繁殖室は、前記繁殖室を構成する壁の内面の所定面積領域のみを撮影する撮影装置を、備えており、
前記撮影装置は、撮影画像を処理する処理装置に連結されており、
前記処理装置は、前記所定面積領域に留まっている成虫数を求めるカウント手段と、求められた成虫数に基づいて前記繁殖室を構成する壁の全内面に留まっている成虫数を算出し、それを前記繁殖室内の成虫数と判定する、判定手段と、を有している、
ことを特徴としている。
【発明の効果】
【０００７】
本発明によれば、撮影装置及び処理装置によって、繁殖室内の成虫数を求めることができるので、羽化室に入れる蛹の量を調整することによって、繁殖室内の成虫数を調整できる。したがって、効率的な人工繁殖を図るのに最適な成虫数を実現でき、すなわち、効率的な人工繁殖を図ることができる。
【図面の簡単な説明】
【０００８】
【図１】本発明の一実施形態の昆虫繁殖用装置の斜視図である。
【図２】図１の装置の正面図である。
【図３】図１の装置の右側面図である。
【図４】図１の装置の左側面図である。
【図５】図１の装置の上面図である。
【図６】図１の装置の底面図である。
【図７】図２の一部拡大図である。
【図８】繁殖室の側面縦断面部分図である。
【図９】所定面積領域の撮影画像の一例を示す図である。
【図１０】図２のＸ−Ｘ矢視断面図である。
【図１１】図２の繁殖室の内部におけるXI矢視図である。
【図１２】卵取室の正面透視図であり、棚部が卵取室に入っている状態を示している。
【図１３】卵取室の正面透視図であり、棚部が繁殖室に出た状態を示している。
【図１４】図１２の卵取室の内部におけるＸIV矢視図である。
【図１５】図１２のＸＶ矢視図である。
【図１６】図１３の棚部を前方上方から見た斜視図である。
【図１７】図１６のＸVII−ＸVII矢視断面図である。
【図１８】使用方法を説明するための、図１の装置の縦断面略図である。
【発明を実施するための形態】
【０００９】
図１は、本発明の一実施形態の昆虫繁殖用装置の斜視図であり、図２は正面図、図３は右側面図、図４は左側面図、図５は上面図、図６は底面図である。この装置１０は、繁殖室１と、羽化室２と、卵取室３と、を備えている。
【００１０】
［繁殖室１］
繁殖室１は、天壁１１と前壁１２と後壁１３と右側壁１４と左側壁１５と底壁１６とによって囲まれた略直方体状の箱体である。壁１１、１２、１３、１４、１５は、通気性及び透光性を有するメッシュ板でできている。
【００１１】
図７は、図２のＡ部拡大図である。底壁１６は、図２、図６、及び図７に示されるように、左右から中央に向けて下向きに傾斜しており、中央すなわち最下端に、隙間からなる回収開口１６１を有している。回収開口１６１は、前後にスライド可能に取り付けられた蓋板１６２（図７）によって開閉可能となっている。これにより、底壁１６は、落下して来た成虫の死骸を傾斜面に沿わせて最下端に集めて回収する回収部を、構成している。
【００１２】
前壁１２の略中央には、撮影装置１７が設けられている。撮影装置１７は、例えば、デジタルカメラである。撮影装置１７は、繁殖室１の側面縦断面部分図である図８に示されるように、後壁１３の内面の所定面積領域Ｓのみを撮影するように、設けられている。図９は、所定面積領域Ｓの撮影画像の一例である。双翅目昆虫、例えば、アメリカミズアブは、一定の間隔で壁面に留まる性質を有しているので、撮影画像には、所定数のアメリカミズアブの成虫９が写っている。撮影装置１７は、撮影画像を処理する処理装置（図示せず）に連結されている。処理装置は、所定面積領域Ｓに留まっている成虫数ｎを求めるカウント手段と、求められた成虫数ｎに基づいて繁殖室１を構成する壁１１、１２、１３、１４、１５の全内面に留まっている成虫数Ｎを算出し、それを繁殖室１内の成虫数と判定する、判定手段と、を有している。カウント手段は、撮影画像を画像処理して成虫数ｎを求めるようになっている。判定手段は、具体的には、次式（Ｉ）により、成虫数を算出するようになっている。なお、壁１１、１２、１３、１４、１５の全内面の面積を「Ｔ」とする。
【００１３】
Ｎ＝ｎ×Ｔ／Ｓ  ……（Ｉ）
【００１４】
［羽化室２］
繁殖室１の右側には、羽化室２が連結されている。羽化室２は、直方体状の箱体であり、暗室である。図１０は、図２のＸ−Ｘ矢視断面図である。図１１は、図２の繁殖室１の内部におけるXI矢視図である。羽化室２は、３つの通路２１のみによって繁殖室１に連通している。通路２１は、等間隔に横に並んで配置されている。通路２１は、先端に行くに連れて狭くなっており、先端に出口開口２１１を有している。出口開口２１１は、２頭以上の成虫の同時通過を不可とする大きさに、設定されており、具体的には、直径１０ｍｍを有している。羽化室２は、前面及び後面に、それぞれ、外向きの引き倒し扉２２、２３を、有しており、更に、底面に、一対のコマ付きレール２４を有している。これにより、羽化室２においては、双翅目昆虫の蛹を収容した複数の容器（図示せず）を、扉２２を開けて１つずつ中に入れてレール２４に載せ、順に奥へ送り、羽化後の蛹の殻を収容している容器を、扉２３を開けて順に取り出すことができる。羽化室２で羽化した成虫は、繁殖室１の明るさに引かれて通路２１内を繁殖室１へ向けて移動し、出口開口２１１から繁殖室１へ飛び出る。出口開口２１１は、２頭以上の成虫の同時通過を不可とする大きさに、設定されており、しかも、羽化室２は、暗室であるので、繁殖室１の成虫が出口開口２１１から通路２１内へ入ること、すなわち、逆行することは、殆ど無い。よって、通路２１は、一方通行路として機能する。
【００１５】
［卵取室３］
繁殖室１の左側には、卵取室３が連結されている。図１２及び図１３は、卵取室３の正面透視図である。卵取室３は、直方体状の箱体であり、暗室である。卵取室３は、棚部４を収容している。卵取室３の底面には、左右に延びたコロ付きレール３９が６本並設されている。棚部４は、レール３９上を移動して、繁殖室１に対して出し入れ可能に設けられている。図１２は、棚部４が卵取室３に入っている状態を示し、図１３は、棚部４が繁殖室１に出た状態を示している。なお、卵取室３の右壁３２すなわち繁殖室１の左側壁１５には、棚部４を繁殖室１へ出し入れするための開口３２０が形成されている。
【００１６】
図１４は、図１２の卵取室３の内部におけるＸIV矢視図である。図１５は、図１２のＸＶ矢視図である。図１６は、図１３の棚部４を前方上方から見た斜視図である。図１７は、図１６のＸVII−ＸVII矢視断面図である。棚部４は、上開きの箱体であり、右側壁４１と左側壁４２と前壁４３と後壁４４と底壁４５とで囲まれており、上部空間４７と下部空間４８とを有している。両空間４７、４８は水平なメッシュ板４９で仕切られている。下部空間４８の内側すなわち繁殖室１側には、産卵誘引剤として機能する幼虫飼育残渣を収容した容器４８１が収容されている。上部空間４７の内側すなわち繁殖室１側の半分４７Ａは、４個の室４７１、４７２、４７３、４７４に区画されている。そして、室４７１及び室４７４には、産卵床となるハニカム構造体４６１が穴を上にした状態で、出し入れ可能に、充填されている。室４７２及び室４７３には、所定の図柄４６２と砂糖充填部４６３とが設けられている。砂糖は、成虫の餌である。図柄４６２は、餌の場所を成虫に覚えさせるためのものである。上部空間４７の外側の半分４７Ｂには、重り４７５が収容されている。重り４７５は、棚部４が図１３に示されるように繁殖室１に出た状態の時のカウンターウェイトとして機能する。
【００１７】
図１２及び図１５に示されるように、棚部４の右側壁４１は、棚部４が卵取室３に入っている状態において、繁殖室１の左側壁１５と同一面となり且つ開口３２０との間に隙間を作らないように、設けられている。また、図１３及び図１６に示されるように、棚部４の前壁４３、後壁４４、及び底壁４５は、棚部４が繁殖室１に出た状態において、開口３２０との間に隙間を作らないように、設けられている。更に、上部空間４７の４個の室４７１、４７２、４７３、４７４は、ハニカム構造体４６１及び砂糖充填部４６３が設けられている状態において開口３２０の上縁との間に隙間を作らないように、設けられている。すなわち、棚部４は、繁殖室１に出た状態及び卵取室３に入った状態のいずれにおいても、繁殖室１と卵取室３とを隔絶するように設けられており、繁殖室１の成虫が開口３２０を通って卵取室３に入らないようになっている。
【００１８】
卵取室３は、図４に示されるように、左側壁３３に、観音開きの扉３４を有しており、扉３４を開くことによって、卵取室３に入った状態の棚部４に対して、ハニカム構造体４６１等を交換できるようになっている。卵の採取は、ハニカム構造体４６１を棚部４から取り出して行われる。
【００１９】
［使用方法］
図１８を参照しながら、上記構成の昆虫繁殖用装置１０の使用方法について、説明する。
【００２０】
まず、羽化室２に、蛹を収容した容器２８を複数個入れる。各容器２８には、同日に得られた卵から育てた蛹を収容するのが好ましい。蛹は、一斉には羽化せず、徐々に羽化していくので、１週間程度、羽化室２に入れておく。
【００２１】
羽化室２において蛹が羽化して成虫になると、成虫９は、光に引かれて通路２１を通って出口開口２１１から繁殖室１内に飛び出る。
【００２２】
繁殖室１においては、卵取室３の棚部４が繁殖室１に出た状態となっており、成虫９の特に雌は、棚部４の室４７２及び室４７３の砂糖充填部４６３にて餌を食べて卵巣を成熟させて、交尾する。ところで、繁殖室１内の成虫９は、壁の内面に留まっていることが多いので、撮影装置１７及び処理装置によって、繁殖室１内の成虫数Ｎが求められる。成虫数Ｎが、効率的な人工繁殖を図るのに最適な成虫数に比して、少ない場合には、羽化室２に、蛹を収容した容器２８を更に追加して入れる。逆に、成虫数Ｎが、効率的な人工繁殖を図るのに最適な成虫数に比して、多い場合には、羽化室２から、蛹を収容した容器２８を幾つか取り出す。これによって、成虫数Ｎを増減させることができる。
【００２３】
交尾した成虫９の雌は、棚部４のハニカム構造体４６１の上面に留まって、ハニカム構造体４６１の穴内に産卵する。このとき、ハニカム構造体４６１の下方には、メッシュ板４９を介して容器４８１が存在しているので、容器４８１から産卵誘引剤の臭いがメッシュ板４９を通過してハニカム構造体４６１に至る。これにより、成虫９の雌は、繁殖室１内においてハニカム構造体４６１の方へ誘引されて、ハニカム構造体４６１に積極的に産卵する。したがって、成虫９の雌が繁殖室１の至る所に産卵してしまうのを防止できる。
【００２４】
次に、少なくとも３日置き、できれば毎日、卵の回収のために、卵取室３の扉３４を開いて、棚部４を卵取室３に引き入れる。このとき、ハニカム構造体４６１の上面に載っていた成虫９は、開口３２０の上縁によってそぎ落とされて、繁殖室１内に残る。すなわち、成虫９が卵取室３に入ることはない。次に、卵取室３に引き入れた棚部４からハニカム構造体４６１を取り出し、ハニカム構造体４６１から卵を採取する。成虫９は、ハニカム構造体４６１に積極的に産卵しているので、成虫９が産んだ略全ての卵を回収することができる。
【００２５】
更に、新たなハニカム構造体４６１を棚部４に取り付けて、棚部４を繁殖室１へ押し出す。そして、採取した卵から蛹を育てて、上記を繰り返す。これにより、双翅目昆虫の人工繁殖が行われる。
【００２６】
なお、交尾や産卵が済んだ成虫９は、死亡し、底壁１６へ落下する。落下して来た成虫９の死骸は、底壁１６の傾斜面に沿って中央へ集まる。そして、蓋板１６２をスライドさせて開くと、回収口１６１から死骸が放出される。これにより、成虫の死骸を容易に回収できる。
【００２７】
［作用効果］
上記構成の昆虫繁殖用装置１０によれば、次のような作用効果を発揮できる。
（１）撮影装置１７及び処理装置によって、繁殖室１内の成虫数Ｎを求めることができるので、羽化室２に入れる蛹の量を調整することによって、繁殖室１内の成虫数Ｎを調整できる。したがって、効率的な人工繁殖を図るのに最適な成虫数を実現でき、すなわち、効率的な人工繁殖を図ることができる。よって、卵を効率的に得ることができる。
【００２８】
（２）羽化室２で蛹から羽化した成虫９を、自発的に通路２１を通して繁殖室１へ移動させることができる。したがって、繁殖室１に成虫を放つのを不要にでき、それ故、そのために繁殖室１の扉を開閉するのを不要にでき、よって、扉の開閉時に繁殖室１から成虫が脱走するのを防止できる。
【００２９】
（３）棚部４が、繁殖室１に出た状態及び卵取室３に入った状態のいずれにおいても、繁殖室１と卵取室３とを隔絶するように設けられているので、棚部４からハニカム構造体４６１を取り出すために扉３４を開いても、繁殖室１の成虫９が卵取室３に侵入することはない。したがって、卵の採取のために繁殖室１の扉を開閉するのを不要にでき、よって、扉の開閉時に繁殖室１から成虫９が脱走するのを防止できる。
【００３０】
［変形構成］
（ａ）羽化室２から繁殖室１への一方通行路は、成虫９の一方通行を可能とするものであれば、上記構成の通路２１に限らない。
【００３１】
（ｂ）棚部４の上部空間４７の内側の半分４７Ａは、２個の室４７１、４７２のみに又は室４７３、４７４のみに、区画されていてもよい。
【産業上の利用可能性】
【００３２】
本発明の昆虫繁殖用装置は、効率的な人工繁殖を図るのに最適な成虫数を実現できるので、産業上の利用価値が大である。
【符号の説明】
【００３３】
１  繁殖室  １６  底壁（回収部）  １７  撮影装置  ２  羽化室
２１  通路（一方通行路）  ２１１  出口開口  ３  卵取室  ４  棚部
４６１  ハニカム構造体（産卵床）  １０  昆虫繁殖用装置
【図１】
2019162085.tif 000003
【図２】
2019162085.tif 000004
【図３】
2019162085.tif 000005
【図４】
2019162085.tif 000006
【図５】
2019162085.tif 000007
【図６】
2019162085.tif 000008
【図７】
2019162085.tif 000009
【図８】
2019162085.tif 000010
【図９】
2019162085.tif 000011
【図１０】
2019162085.tif 000012
【図１１】
2019162085.tif 000013
【図１２】
2019162085.tif 000014
【図１３】
2019162085.tif 000015
【図１４】
2019162085.tif 000016
【図１５】
2019162085.tif 000017
【図１６】
2019162085.tif 000018
【図１７】
2019162085.tif 000019
【図１８】
2019162085.tif 000020